(57)【要約】【課題】ＮＡＴ環境でのネットワーク管理システムにおいて，監視側のネットワークと被監視側のネットワーク間で，アドレス情報の整合性を維持する【解決手段】監視側ネットワークと被監視側ネットワークの間でアドレス情報の整合性を維持するために，アドレス情報監視エージェントが被監視側ＤＮＳを監視し，設定内容に変更があった場合には，アドレス情報監視マネージャに通知する。アドレス情報監視マネージャは，被監視側ネットワークの変更内容を，監視側ネットワークに反映するために，アドレス変換装置のアドレス変換定義，監視側ＤＮＳ，監視装置の監視情報を設定する。【選択図】　図１
2004147132.tif 000002
【特許請求の範囲】
【請求項１】
監視側のネットワークと複数の被監視側のネットワークがそれぞれアドレス変換装置を介して接続され，監視側ネットワークの監視装置が被監視側ネットワークにある複数の被監視装置の監視をするネットワーク管理システムにおいて，ネットワーク管理システムは，監視側ネットワークにアドレス情報監視マネージャ，被監視側ネットワークにアドレス情報監視エージェントを有し，前記アドレス情報監視エージェントはアドレス情報の変更を検出し、前記アドレス監視マネージャに検出したアドレス情報を送ることを特徴とするネットワーク管理システム。
【請求項２】
請求項１記載のネットワーク管理システムにおいて、前記アドレス情報監視エージェントは，被監視側ネットワークのＤＮＳを監視するＤＮＳ監視部と，被監視側ネットワークのＡＲＰテーブルを監視するＡＲＰ監視部と，ＤＮＳおよびＡＲＰテーブルの監視情報を格納する被監視側アドレス情報データベースを有し，被監視側アドレス情報データベースに変更があったときに，前記アドレス情報監視マネージャに変更情報を通知し，アドレス情報監視マネージャは，複数のアドレス情報エージェントから受け取ったアドレス情報データベースの変更情報を統合して格納する監視側アドレス情報データベースを有し，監視側ネットワークのＤＮＳまたはｈｏｓｔｓファイルと，ネットワーク管理システムの監視装置の監視情報に監視側アドレス情報データベースの情報を反映することを特徴とするネットワーク管理システム。
【請求項３】
請求項２記載のネットワーク管理システムにおいて、前記アドレス情報監視マネージャは，複数のアドレス変換装置のアドレス変換定義を統合して格納するアドレス変換定義データベースを有し，監視側アドレス情報データベースのアドレスを，前記アドレス変換定義データベースにしたがってアドレス変換することを特徴とするネットワーク管理システム。
【請求項４】
請求項２記載のネットワーク管理システムにおいて、前記アドレス情報監視マネージャは，監視側アドレス情報データベースに格納するアドレス変換後のアドレスが互いに競合しないように，アドレス変換定義を生成する手段を備え，生成したアドレス変換定義をアドレス変換装置のアドレス変換定義に反映することを特徴とするネットワーク管理システム。
【請求項５】
監視側のネットワークと複数の被監視側のネットワークがそれぞれアドレス変換装置を介して接続され，監視側ネットワークの監視装置が被監視側ネットワークにある複数の被監視装置の監視をするネットワーク管理方法において，ネットワーク管理システムは，監視側ネットワークにアドレス情報監視マネージャ，被監視側ネットワークにアドレス情報監視エージェントを有し，被監視側ネットワークに接続されたアドレス情報監視エージェントがアドレス情報の変更を検出し、監視側ネットワークに接続されたアドレス監視マネージャに検出したアドレス情報を送ることを特徴とするネットワーク管理方法。
【請求項６】
監視側ネットワークに接続された監視装置へ被監視装置の変更を通知するためのコンピュータにより実行可能な管理プログラムであって、被監視側ネットワークに接続された被監視装置のアドレス情報の変更を検出し、監視側ネットワークに接続されたアドレス監視マネージャに検出したアドレス情報を送ることを特徴とするコンピュータにより実行可能な管理プログラム。
【発明の詳細な説明】
【０００１】
【発明の属する技術分野】
本発明は，ネットワーク管理システムに係り，特に，監視側ネットワークと複数の被監視側ネットワークが，アドレス変換装置で接続されたネットワークシステムを管理するネットワーク管理システムにおいて，監視側のネットワークと被監視側のネットワーク間で，アドレス情報の整合性を容易に維持する方法に関する。
【０００２】
【従来の技術】
現在，インターネットなどで最も広く利用されているネットワークアドレスであるＩＰアドレスは，ＩＰｖ４（Ｉｎｔｅｒｎｅｔ　Ｐｒｏｔｏｃｏｌ　ｖｅｒ．４）と呼ばれるプロトコルにより規定されるもので，３２ビットのアドレス空間を持つアドレスである。インターネットに接続する機器の増加による，ＩＰアドレスの枯渇の問題を解決するための技術として広く使われているのが，ＩＥＴＦの定めるＲＦＣ１６３１（Ｔｈｅ　ＩＰ　Ｎｅｔｗｏｒｋ　Ａｄｄｒｅｓｓ　Ｔｒａｎｓｌａｔｏｒ）に記載されているアドレス変換機能と，ＲＦＣ１９１８（Ａｄｄｒｅｓｓ　Ａｌｌｏｃａｔｉｏｎ　ｆｏｒ　Ｐｒｉｖａｔｅ　Ｉｎｔｅｒｎｅｔｓ）に記載されているプライベートネットワークとを組み合わせた方法である。
【０００３】
しかしながら，例えばＳＮＭＰなどのネットワーク管理プロトコルにおいては，管理プロトコルによってやりとりされるプロトコルデータユニット（ＰＤＵ）中にもＩＰアドレスが含まれているが，この部分はＲＦＣ１６３１に記載されるアドレス変換装置においては，アドレス変換されない。
【０００４】
一方，特許文献１には，管理プロトコルによってやりとりされるプロトコルデータユニット（ＰＤＵ）中に含まれるＩＰアドレスのアドレス変換をすることによって，異なるアドレス体系のネットワークがアドレス変換装置により接続されたネットワークシステムにおいて，グローバルアドレスを持たないノード間でも管理プロトコルによるデータ通信が行えるネットワーク管理システムが記載されている。
【特許文献１】特開２００２−１９０８１０号公報
【発明が解決しようとする課題】
しかしながら，アドレス変換が適用された環境でネットワーク管理をおこなう場合，被監視装置のＩＰアドレスはアドレス変換されて，監視側で認識される。したがって，監視側ネットワークと被監視側ネットワークの間で，被監視装置を共通認識するために，ＩＰアドレスを使用することができない。ＩＰアドレスの代わりにホスト名を使用することで，共通認識することができるが，そのためには，監視側ネットワークのｈｏｓｔｓファイル等に，被監視装置のアドレス変換後のＩＰアドレスとホスト名を手作業で設定しなければならない。
【０００５】
また，被監視側ネットワークの構成に変更（被監視装置の追加，変更，削除等）があった場合，その変更を監視側ネットワークに反映するには，アドレス変換の定義や監視側のｈｏｓｔｓファイルを手作業で設定しなければならない。
【０００６】
前述した監視側ネットワークのｈｏｓｔｓファイルやアドレス変換の定義の設定を，自動的に実施する手段があれば，人手による設定作業やそのときの作業ミスを削減することが可能となるが，特許文献１には，この点については開示されていない。
【０００７】
本発明の目的は，互いにアドレス体系が異なる複数のネットワークが接続されたネットワークシステムを管理するネットワーク管理システムにおいて，監視側ネットワークのＤＮＳや監視装置の監視情報やアドレス変換装置のアドレス変換定義を自動的に生成し，変更を反映することによって，監視側のネットワークと被監視側のネットワーク間で，アドレス情報の整合性を維持する方法を提供することにある。
【０００８】
【課題を解決するための手段】
本発明は，被監視側ネットワークの構成の変更を検知するために，被監視側ネットワークのＤＮＳ（Ｄｏｍａｉｎ　Ｎａｍｅ　Ｓｙｓｔｅｍ）情報を監視し，監視情報を監視側ネットワークに通知するアドレス情報監視エージェントと，通知された監視情報を元に，監視側ネットワークのＤＮＳ情報や，アドレス変換装置のアドレス変換定義を自動的に設定する，アドレス情報監視マネージャによって達成される。
【０００９】
【発明の実施の形態】
以下、本発明によるネットワーク管理システム及びアドレス情報同期方法の実施形態を図面により詳細に説明する。
【００１０】
図１は，本実施例で説明するネットワーク管理システムの概念を示したものである。
【００１１】
本システムは，監視側ネットワーク１０１，被監視側ネットワークａ１０２，被監視側ネットワークｂ１０３を有している。
【００１２】
監視側ネットワーク１０１と被監視側ネットワークａ１０２は，アドレス変換装置ａ１４１で接続されている。監視側ネットワーク１０１と被監視側ネットワークｂ１０３は，アドレス変換装置ｂ１４２で接続されている。
【００１３】
監視側ネットワーク１０１には，被監視装置を監視するための処理を行う監視装置１２１，監視システム全体のアドレス情報を保持する監視側ＤＮＳ１３１，監視システム全体のアドレス情報の管理などをするアドレス情報監視マネージャ１１１がある。
【００１４】
被監視側ネットワークａ１０２には，被監視装置ａ１２２，被監視側ネットワークａ１０２のアドレス情報を保持する被監視側ＤＮＳａ１３２，被監視側ネットワークａ１０２のアドレス情報を監視するアドレス情報監視エージェントａ１１２がある。
【００１５】
被監視側ネットワークｂ１０３には，被監視装置ｂ１２３，被監視側ネットワークｂ１０３のアドレス情報を保持する被監視側ＤＮＳｂ１３３，被監視側ネットワークｂ１０３のアドレス情報を監視するアドレス情報監視エージェントｂ１１３がある。
【００１６】
このような構成において，本ネットワーク管理システムは，監視を行うための監視装置１２１が，被監視装置１２２，１２３を管理するものである。監視側ネットワーク１０１と，被監視側ネットワークａ１０２と，被監視側ネットワークｂ１０３は，互いに独立したネットワークであり，それぞれのネットワークにあるノードに割り当てられたプライベートアドレスは，互いに重複している。このＩＰアドレスの重複を回避するために，監視装置１２１と被監視装置１２２，１２３の間で送受信されるネットワーク管理データに含まれるＩＰアドレスは，アドレス変換装置１４１，１４２によってアドレス変換される。
【００１７】
監視側ネットワーク１０１と被監視側ネットワーク１０２，１０３の間でアドレス情報の整合性を維持するために，アドレス情報監視エージェント１１２，１１３は被監視側ＤＮＳ１３２，１３３を監視し，設定内容に変更があった場合には，アドレス情報監視マネージャ１１１に通知する。アドレス情報監視マネージャ１１１は，通知された被監視側ネットワークの変更内容を，監視側ネットワークに反映するために，アドレス変換装置１４１，１４２のアドレス変換定義，監視側ＤＮＳ１３１，監視装置１２１の監視情報の設定をおこなう。
【００１８】
図２は，本発明における，アドレス情報監視マネージャ，アドレス情報監視エージェントのブロック図である。
【００１９】
アドレス情報監視マネージャ２１０は，監視側アドレス情報２０１の設定をおこなう監視側アドレス情報設定部２１１，監視装置２０２の監視情報を設定する監視情報設定部２１２，ネットワーク管理システムのアドレス情報の管理をおこなう監視側アドレス情報管理部２１３，ネットワーク管理システムのアドレス変換定義の管理をおこなうアドレス変換定義管理部２１４，アドレス情報監視エージェントと通信する被監視側アドレス情報受信部２１５，アドレス変換装置２０３のアドレス変換定義を設定するアドレス変換定義設定部２１６で構成される。さらに，アドレス情報マネージャで管理しているアドレス情報を保持するアドレス情報ＤＢ２１７，アドレス情報マネージャで管理しているアドレス変換定義を保持するアドレス変換定義ＤＢ２１８で構成される。
【００２０】
アドレス情報監視エージェント２２０は，アドレス情報監視マネージャと通信する被監視側アドレス情報通知部２２１，被監視側ネットワークのアドレス情報の管理をおこなう被監視側アドレス情報管理部２２２，被監視側ＤＮＳ情報２０４の更新を監視するＤＮＳ監視部２２３，被監視側ＡＲＰ（Ａｄｄｒｅｓｓ　ＲｅｓｏｌｕｔｉｏｎＰｒｏｔｏｃｏｌ）情報２０５の更新を監視するＡＲＰ監視部２２４から構成される。さらに，アドレス情報監視エージェントで管理しているアドレス情報を保持するアドレス情報ＤＢ２２５で構成される。
【００２１】
図３は，被監視側ネットワークのノードのＩＰアドレスとホスト名の対応を定義している，被監視側ＤＮＳ情報２０４を説明する図である。この情報の実体は，被監視側ネットワークに存在するＤＮＳまたは，ｈｏｓｔｓファイルである。
【００２２】
図４は，被監視側ネットワークのノードの物理アドレスとＩＰアドレスの対応を定義している，被監視側ＡＲＰ情報２０５を説明する図である。この情報の実体は，被監視側ネットワークのノードが保持しているＡＲＰテーブルである。
【００２３】
図５は，アドレス情報監視エージェント２２０で，被監視側ネットワークのアドレス情報の変更を監視するために，被監視側ネットワークのノードのアドレス情報を保持する，被監視側アドレス情報ＤＢ２２５を説明する図である。被監視側アドレス情報ＤＢ５００は，物理アドレスと，ＩＰアドレスと，ホスト名からなる。行５０１は，物理アドレス「ａａ　ａａ　ａａ　ａａ　ａａ　ａａ」のノードのＩＰアドレスは「１９２．１６８．０．１」であり，そのホスト名は「ｎｏｄｅ０１」であることを表している。行５０２は，物理アドレス「ｂｂ　ｂｂ　ｂｂ　ｂｂ　ｂｂ　ｂｂ」のノードのＩＰアドレスは「１９２．１６８．０．２」であり，そのホスト名は「ｎｏｄｅ０２」であることを表している。行５０３は，物理アドレス「ｃｃ　ｃｃ　ｃｃ　ｃｃ　ｃｃ　ｃｃ」のノードのＩＰアドレスは「１９２．１６８．０．３」であり，そのホスト名は「ｎｏｄｅ０３」であることを表している。
【００２４】
図６は，アドレス情報監視エージェント２２０が被監視側ネットワークのアドレス情報の変更を検知し，その情報をアドレス情報監視マネージャ２１０に通知するために送信する，被監視側変更通知のデータ構造を説明する図である。この図では，「１９２．１６８．０．３」というＩＰアドレスを持ち，「ｎｏｄｅ０３」というホスト名であるノードが追加されたことを表している。行６０１の変更種別には，アドレス情報監視マネージャ２１０に通知する種別が入れられる。変更の種別には，追加，変更，削除がある。行６０２の変更前アドレスには，アドレス情報に変更のあったノードの変更前のアドレスが入れられる。変更の種別が追加の場合には，省略される。行６０３の変更後アドレスには，アドレス情報に変更のあったノードの変更後のアドレスが入れられる。変更の種別が削除の場合には省略される。行６０４の変更前ホスト名には，アドレス情報に変更のあったノードの変更前のホスト名が入れられる。変更の種別が追加の場合には，省略される。行６０５の変更後ホスト名には，アドレス情報に変更のあったノードの変更後のホスト名が入れられる。変更の種別が削除の場合には省略される。
【００２５】
図７は，アドレス情報監視マネージャ２１０で，アドレス情報監視エージェント２２０から受け取った，被監視側ネットワークのアドレス情報の変更を管理するために，被監視側ネットワークのノードのアドレス情報を保持する，監視側アドレス情報ＤＢ２１７を説明する図である。監視側アドレス情報ＤＢ７００は，対象となるノードの情報を監視しているアドレス情報監視エージェント名と，アドレス変換を適用する前のＩＰアドレスである変換前ＩＰアドレスと，アドレス変換を適用した後のＩＰアドレスである変換後ＩＰアドレスと，ホスト名からなる。この例でのホスト名には，複数の被監視側ネットワークで重複があるため，アドレス情報監視マネージャが，アドレス情報監視エージェント名をドメイン名として付与している。
【００２６】
行７０１は，アドレス情報監視エージェントａが監視している，変換前ＩＰアドレスが「１９２．１６８．０．１」のノードは，変換後ＩＰアドレスが「１７２．１６．０．１」であり，そのホスト名は「ｎｏｄｅ０１．ａ」であることを表している。
【００２７】
図８は，アドレス情報監視マネージャ２１０で，ネットワーク管理システム全体のアドレス変換定義を統合的に管理するために，被監視側ネットワークごとに，すなわち，アドレス情報エージェントごとのアドレス変換定義を保持する，アドレス変換定義ＤＢ２１８を説明する図である。
【００２８】
行８０１は，アドレス情報監視エージェントａが監視しているノードのＩＰアドレスが，第１オクテットが「１９２」，第２オクテットが「１６８」，第３オクテットが「０」である場合には，そのＩＰアドレスの第１オクテットを「１７２」，第２オクテットを「１６」，第３オクテットを「０」に変換することを表している。行８０２は，アドレス情報監視エージェントｂが監視しているノードのＩＰアドレスが，第１オクテットが「１９２」，第２オクテットが「１６８」，第３オクテットが「０」である場合には，そのＩＰアドレスの第１オクテットを「１７２」，第２オクテットを「１７」，第３オクテットを「０」に変換することを表している。
【００２９】
図９は，アドレス変換装置におけるアドレス変換定義を説明する図である。行９０１は，ＩＰアドレスが，第１オクテットが「１９２」，第２オクテットが「１６８」，第３オクテットが「０」である場合には，そのＩＰアドレスの第１オクテットを「１７２」，第２オクテットを「１６」，第３オクテットを「０」に変換することを表している。アドレス変換装置は，この定義にしたがって，ネットワーク管理データに含まれるＩＰアドレスのアドレス変換を実行する。
【００３０】
図１０は，ネットワーク管理システム全体で監視するノードのＩＰアドレスとホスト名の対応を定義している，監視側アドレス情報２０１を説明する図である。この情報の実体は，監視側ネットワークに存在するＤＮＳまたは，ｈｏｓｔｓファイルである。
【００３１】
図１１は，監視装置２０２で監視対象のオブジェクトを定義している，監視オブジェクト一覧を説明する図である。監視オブジェクト一覧は，ネットワーク管理システムで監視する被監視装置を定義している。
【００３２】
図１２は，アドレス情報監視エージェント２２０で，被監視側アドレス情報の更新をアドレス情報監視マネージャに通知する処理を説明するフローチャートである。
【００３３】
ステップ１２０１で，被監視側ＤＮＳ情報２０４を監視しているＤＮＳ監視部２２３は，被監視側ＤＮＳ情報２０４の内容に変更があったことを検知して，被監視側アドレス情報管理部２２２に，変更があった被監視装置のＩＰアドレスとホスト名を通知する。
【００３４】
ステップ１２０２で，被監視側ＡＲＰ情報２０５を監視しているＡＲＰ監視部２２４は，被監視側ＡＲＰ情報２０５の内容に変更があったことを検知して，被監視側アドレス情報管理部２２２に，変更があった被監視装置の物理アドレスとＩＰアドレスを通知する。
【００３５】
ステップ１２０３で，被監視側アドレス情報管理部２２２は，ＤＮＳ監視部２０４およびＡＲＰ監視部２０５から通知された，変更のあった被監視装置の情報を，アドレス情報ＤＢ２２５で検索する。一致する情報が検索されなかった場合には，ステップ１２０４を実行する。一致する情報が検索された場合には，ステップ１２０５を実行する。
【００３６】
ステップ１２０４で，被監視側アドレス情報管理部２２２は，変更のあった被監視装置は，アドレス情報ＤＢ２２５に存在しない新規追加されたノードであるので，アドレス情報ＤＢ２２５に，その被監視装置のＩＰアドレスを新規登録する。
【００３７】
ステップ１２０５で，被監視側アドレス情報管理部２２２は，アドレス変換情報ＤＢ２２５のデータの中で，変更があった被監視装置の情報を書き換えて，変更内容を反映する。
【００３８】
ステップ１２０６で，被監視側アドレス情報管理部２２２は，変更があった被監視装置の情報についての被監視側変更通知を作成し，被監視側アドレス情報通知部２２１に渡す。被監視側アドレス情報通知部２２１は，被監視側変更通知をアドレス情報監視マネージャに通知する。
【００３９】
図１３は，アドレス情報監視マネージャ２１０で，被監視側アドレス情報の更新をアドレス情報監視エージェント２２０から通知されたときの処理を説明するフローチャートである。
【００４０】
ステップ１３０１で，被監視側アドレス情報受信部２１５は，アドレス情報監視エージェント２２０から被監視側変更通知を受信し，監視側アドレス情報管理部２１３に渡す。
【００４１】
ステップ１３０２で，監視側アドレス情報管理部２１３は，被監視側変更通知の種別を判定し，種別が「削除」または，「ホスト名の変更」の場合には，ステップ１３０６を実行する。それ以外の場合には，ステップ１３０３を実行する。
【００４２】
ステップ１３０３で，監視側アドレス情報管理部２１３は，被監視側変更通知で受け取った変更後アドレスを，アドレス変換定義管理部２１４に渡す。アドレス変換定義管理部２１４は，アドレス変換定義ＤＢ２１８を参照して，受け取ったＩＰアドレスをアドレス変換し，変更後ＩＰアドレスを監視側アドレス情報管理部２１３に渡す。
【００４３】
ステップ１３０４で，監視側アドレス情報管理部２１３は，受け取った変更後ＩＰアドレスを，アドレス情報ＤＢ２１７で検索する。一致する変換後ＩＰアドレスが検索されなかった場合には，ステップ１３０６を実行する。一致する変換後ＩＰアドレスが検索された場合には，ステップ１３０５を実行する。
【００４４】
ステップ１３０５で，監視側アドレス情報管理部２１３は，アドレス変換定義管理部２１４に変更後アドレスを渡し，そのアドレスに対する新規アドレス変換定義の作成を要求する。アドレス変換定義管理部２１４は，後述する図１４の新規アドレス変換定義追加処理を実行し，新規定義による変換後ＩＰアドレスを，監視側アドレス情報管理部２１３に渡す。
【００４５】
ステップ１３０６で，監視側アドレス情報管理部２１３は，アドレス変換情報ＤＢ２１３のデータの中で，変更があった被監視装置の情報を書き換えて，変更内容を反映する。
【００４６】
ステップ１３０６で，監視側アドレス情報管理部２１３は，監視側アドレス情報設定部２１１および監視情報設定部２１２に変更内容を通知する。監視側アドレス情報設定部２１１は，監視側アドレス情報２０１に変更内容を設定する。監視情報設定部２１２は，監視装置２０２の監視オブジェクト一覧に変更内容を設定する。
【００４７】
図１４は，アドレス変換定義管理部２１４で，監視側アドレス情報管理部２１３から，新規アドレス変換定義作成要求を受け取ったときの処理を説明するフローチャートである。
【００４８】
ステップ１４０１で，監視側アドレス情報管理部２１３から，新規アドレス変換定義作成要求を受け取る。新規アドレス変換定義作成要求は１つの変換前ＩＰアドレスをともなっている。
【００４９】
ステップ１４０２で，アドレス変換ＤＢを検索して，変換後ＩＰアドレスとして登録されていないＩＰアドレスを，１つ抽出する。
【００５０】
ステップ１４０３で，監視側アドレス情報管理部２１３から受け取った変換前ＩＰアドレスと，ステップ１４０２で得た変換後ＩＰアドレスを，アドレス変換定義ＤＢ２１８に登録する。
【００５１】
ステップ１４０４で，アドレス変換定義の新規追加を，アドレス変換定義設定部２１６に通知する。アドレス変換定義設定部２１６は，アドレス変換装置２０３のアドレス変換定義に新規アドレス変換定義を設定する。
【００５２】
ステップ１４０５で，新規定義による変換後ＩＰアドレスを，監視側アドレス情報管理部２１３に渡す。
【００５３】
前述した本発明の実施形態による各処理は，処理プログラムとして構成することができ，この処理プログラムは，ＨＤ，ＤＡＴ，ＦＤ，ＭＯ，ＤＶＤ−ＲＯＭ，ＣＤ−ＲＯＭ等の記録媒体に格納して提供することができる。
【００５４】
【発明の効果】
本発明によれば，互いにアドレス体系が異なる複数のネットワークが接続されたネットワークシステムを管理するネットワーク管理システムにおいて，監視側のネットワークと被監視側のネットワーク間で，アドレス情報の整合性を，人手による作業を自動化することにより，容易に維持することができる。
【図面の簡単な説明】
【図１】本発明を適用するネットワーク管理システムの概念を示したものである。
【図２】アドレス情報監視マネージャ，アドレス情報監視エージェントのブロック図である。
【図３】被監視側ＤＮＳ情報を説明する図である。
【図４】被監視側ＡＲＰ情報を説明する図である。
【図５】被監視側アドレス情報ＤＢを説明する図である。
【図６】被監視側変更通知のデータ構造を説明する図である。
【図７】監視側アドレス情報ＤＢを説明する図である。
【図８】監視側アドレス変換定義ＤＢを説明する図である。
【図９】アドレス変換定義を説明する図である。
【図１０】監視側アドレス情報を説明する図である。
【図１１】監視オブジェクト一覧を説明する図である。
【図１２】アドレス情報監視エージェントの処理を説明するフローチャートである。
【図１３】監視側アドレス情報管理部の処理を説明するフローチャートである。
【図１４】アドレス変換定義管理部の処理を説明するフローチャートである。
【符号の説明】
１０１　監視側ネットワーク
１０２　被監視側ネットワークａ
１０３　被監視側ネットワークｂ
１１１　アドレス情報監視マネージャ
１１２　アドレス情報監視エージェントａ
１１３　アドレス情報監視エージェントｂ
１２１　監視装置
１２２　被監視装置ａ
１２３　被監視装置ｂ
１３１　監視側ＤＮＳ
１３２　被監視側ＤＮＳａ
１３３　被監視側ＤＮＳｂ
【図１】
2004147132.tif 000003
【図２】
2004147132.tif 000004
【図３】
2004147132.tif 000005
【図４】
2004147132.tif 000006
【図５】
2004147132.tif 000007
【図６】
2004147132.tif 000008
【図７】
2004147132.tif 000009
【図８】
2004147132.tif 000010
【図９】
2004147132.tif 000011
【図１０】
2004147132.tif 000012
【図１１】
2004147132.tif 000013
【図１２】
2004147132.tif 000014
【図１３】
2004147132.tif 000015
【図１４】
2004147132.tif 000016